(57)【要約】【課題】サービスプラグのレバーの回動を操作できる操作治具を提供する。【解決手段】  操作治具は、バッテリの電源回路に接続するサービスプラグのレバーを操作する操作治具であって、レバーは、サービスプラグのプラグ本体に設けられた回動軸に回動可能に取り付けられており、レバーの回動端部が第１回動位置に位置した場合に電源回路が導通状態となり、回動端部が第２回動位置に位置した場合に電源回路が遮断状態となり、レバーに固定される保持部材と、保持部材に設けられ、回動軸と平行かつ離間する操作軸と、長尺状を呈し、その先端に操作軸に回動可能に係合される係合部を有し、その末端に加わる力を係合部を介して操作軸に作用させる操作部材と、を備える。【選択図】図７
2020098722.tif 000002
【特許請求の範囲】
【請求項１】
バッテリの電源回路に接続するサービスプラグのレバーを操作する操作治具であって、
前記レバーは、前記サービスプラグのプラグ本体に設けられた回動軸に回動可能に取り付けられており、前記レバーの回動端部が第１回動位置に位置した場合に前記電源回路が導通状態となり、前記回動端部が第２回動位置に位置した場合に前記電源回路が遮断状態となり、
前記レバーに固定される保持部材と、
前記保持部材に設けられ、前記回動軸と平行かつ離間する操作軸と、
長尺状を呈し、その先端に前記操作軸に回動可能に係合される係合部を有し、その末端に加わる力を前記係合部を介して前記操作軸に作用させる操作部材と、
を備える、操作治具。
【請求項２】
前記操作部材は、前記操作軸に着脱自在に係合される、請求項１に記載の操作治具。
【請求項３】
前記係合部には、前記操作部材の長手方向と交差する方向に延在し、前記操作軸と係合可能な一対の第１スリットが形成される、請求項２に記載の操作治具。
【請求項４】
前記プラグ本体は、前記レバーの前記回動端部が前記第１回動位置に位置した場合において前記レバーの回動を規制するロックを有し、
前記保持部材及び前記操作部材は、前記ロックにおける前記レバーの回動の規制を解除するロック解除部を有する、請求項１から３の何れか一項に記載の操作治具。
【請求項５】
前記操作部材は、前記末端が操作されることにより、前記第１回動位置に位置した前記レバーの前記回動端部から前記プラグ本体への方向である近接方向に力を作用させ、
前記係合部には、前記操作部材の長手方向に延在し、前記操作軸と係合するとともに、前記操作軸に回動可能に係合させた係合部を前記近接方向に案内する一対の第２スリットが形成されており、
前記ロックは、前記レバーの前記回動端部に係合することにより前記レバーの回動を規制し、前記近接方向に変位して前記レバーの前記回動端部との係合を解除可能であり、
前記ロック解除部は、
前記ロックと対向配置するように前記保持部材に設けられ、前記近接方向に移動して前記ロックに突き当てられる第１押圧部材と、
前記係合部に設けられ、前記第１押圧部材と係合することにより、前記操作部材の前記末端に加わる力を、前記近接方向に向けて前記第１押圧部材に作用させる第２押圧部材と、を有する、請求項４に記載の操作治具。
【請求項６】
前記ロック解除部は、前記近接方向へ移動する前記第１押圧部材に対して前記第１押圧部材の位置変位に応じた反力を作用させる弾性体部材をさらに有する、請求項５に記載の操作治具。
【発明の詳細な説明】
【技術分野】
【０００１】
本開示は、操作治具に関する。
【背景技術】
【０００２】
特許文献１には、レバーの回動操作により電気自動車などのバッテリの電気回路を遮断する回路遮断装置（サービスプラグ）が記載されている。この回路遮断装置は、レバー側コネクタと、待受け側コネクタと、レバー側コネクタに回動可能に支持されたレバーと、レバーに設けられ、検知回路に接続される検知端子を有する嵌合検知体とを備えている。検知端子が接続状態となることで、電気回路が導通可能となる一方、検知端子が非接続状態となることで電気回路が遮断される。レバー側コネクタと待受け側コネクタとを嵌合させた状態からレバーを回動操作して両コネクタを離脱させる過程において、レバーの回動操作に連動して検知端子が接続状態から非接続状態に移行することで、電源回路が遮断される。
【先行技術文献】
【特許文献】
【０００３】
【特許文献１】特開２０１３−１６４２７号公報
【発明の概要】
【発明が解決しようとする課題】
【０００４】
電気自動車などの複数のバッテリを積載して定置用蓄電池として利用する場合、安全かつ効率的な利用のため、サービスプラグのレバーを操作し、バッテリの電源回路を導通状態又は遮断状態にする必要がある。しかしながら、複数のバッテリを高密度に積載する場合、バッテリの表面に設けられたサービスプラグのレバーを手動によって回動操作するためには、十分なスペースが確保できないおそれがある。
【０００５】
本開示は、サービスプラグのレバーの回動を操作できる操作治具を提供する。
【課題を解決するための手段】
【０００６】
本開示に係る操作治具は、バッテリの電源回路に接続するサービスプラグのレバーを操作する操作治具であって、レバーは、サービスプラグのプラグ本体に設けられた回動軸に回動可能に取り付けられており、レバーの回動端部が第１回動位置に位置した場合に電源回路が導通状態となり、回動端部が第２回動位置に位置した場合に電源回路が遮断状態となり、レバーに固定される保持部材と、保持部材に設けられ、回動軸と平行かつ離間する操作軸と、長尺状を呈し、その先端に操作軸に回動可能に係合される係合部を有し、その末端に加わる力を係合部を介して操作軸に作用させる操作部材と、を備える。
【０００７】
本開示に係る操作治具によれば、操作部材は係合部を有する。操作部材は、保持部材に設けられた操作軸と係合部を介して係り合う。保持部材は、サービスプラグのレバーに固定されている。レバーは、プラグ本体に設けられた回動軸を中心に回動する。レバーの回動端部が第１回動位置に位置した場合、電源回路は導通状態となる。レバーの回動端部が第２回動位置に位置した場合、電源回路は遮断状態となる。操作部材の末端において力が加えられることによって、操作部材の先端にある係合部に力が作用する。係合部に作用した力は、操作軸を介して保持部材に作用する。保持部材に作用する力は、レバーに作用する。レバーは、作用する力によって、第１回動位置から第２回動位置へ、又は第２回動位置から第１回動位置へ回動する。これにより、操作部材の末端に対する力の付加のみで、電源回路を導通状態から遮断状態へ、又は遮断状態から導通状態へと制御できる。よって、本開示に係る操作治具は、サービスプラグのレバーの回動を操作できる。
【０００８】
一実施形態に係る操作治具では、操作部材は、操作軸に着脱自在に係合されてもよい。この場合、操作部材は、レバーに接続している保持部材及び操作軸に対して着脱自在に係合できる。これにより、操作部材を他のサービスプラグ、保持部材及び操作軸の組み合わせを持つユニットに対しても利用することができる。
【０００９】
一実施形態に係る操作治具では、係合部には、操作部材の長手方向と交差する方向に延在し、操作軸と係合可能な一対の第１スリットが形成されてもよい。この場合、操作部材は、操作軸を第１スリット内に通すことによって、保持部材及び操作軸に対して着脱自在に係合できる。
【００１０】
一実施形態に係る操作治具では、プラグ本体は、レバーの回動端部が第１回動位置に位置した場合においてレバーの回動を規制するロックを有し、保持部材及び操作部材は、ロックにおけるレバーの回動の規制を解除するロック解除部を有してもよい。ロックによりレバーの回動が規制されている場合でも、ロック解除部によりロックを解除してレバーの回動を操作できる。
【００１１】
一実施形態に係る操作治具では、操作部材は、末端が操作されることにより、第１回動位置に位置したレバーの回動端部からプラグ本体への方向である近接方向に力を作用させ、係合部には、操作部材の長手方向に延在し、操作軸と係合するとともに、操作軸に回動可能に係合させた係合部を近接方向に案内する一対の第２スリットが形成されており、ロックは、レバーの回動端部に係合することによりレバーの回動を規制し、近接方向に変位してレバーの回動端部との係合を解除可能であり、ロック解除部は、ロックと対向配置するように保持部材に設けられ、近接方向に移動してロックに突き当てられる第１押圧部材と、係合部に設けられ、第１押圧部材と係合することにより、操作部材の末端に加わる力を、近接方向に向けて第１押圧部材に作用させる第２押圧部材と、を有してもよい。操作部材の末端が操作されることにより、操作部材の先端の係合部には第１回動位置に位置するレバーの回動端部からプラグ本体への方向である近接方向に力が作用する。一対の第２スリットにより、操作部材の係合部は近接方向に案内される。操作部材の末端に加わる力は、係合部に設けられた第２押圧部材を介して近接方向に向けて第１押圧部材に作用する。近接方向に移動した第１押圧部材により、ロックは近接方向に変位する。これにより、ロックとレバーの回動端部との係合を解除することができる。よって、ロックにおけるレバーの回動の規制の解除、及びレバーの回動を、操作部材の末端に対する力の付加という容易な一動作で行うことができる。
【００１２】
一実施形態に係る操作治具では、ロック解除部は、近接方向へ移動する第１押圧部材に対して第１押圧部材の位置変位に応じた反力を作用させる弾性体部材をさらに有してもよい。第１押圧部材は、ロックを解除するとき、近接方向に移動する。第１押圧部材は、近接方向への移動により弾性体部材に接触する。第１押圧部材は、弾性体部材に接触してから近接方向への位置変位に応じて弾性体部材による反力の作用を受ける。第１押圧部材がさらに近接方向に移動し、ロックを解除した場合、第１押圧部材５１は、弾性体部材の反力の作用を受け、ロックを解除した位置からさらに近接方向に移動することが抑制される。レバーが回動し、第１押圧部材と第２押圧部材との係合が解除された場合、第１押圧部材は、弾性体部材の反力の作用により、ロックを解除した位置から近接方向とは反対の方向に移動する。これにより、レバーが第２回動位置から第１回動位置へ回動する場合に、ロックと第１押圧部材との干渉が抑制されるため、レバーの回動を円滑に操作できる。
【発明の効果】
【００１３】
本開示は、サービスプラグのレバーの回動を操作できる。
【図面の簡単な説明】
【００１４】
【図１】バッテリを収容する大ラックを示す斜視図である。
【図２】バッテリ及びサービスプラグの位置関係を示す斜視図である。
【図３】バッテリ及びサービスプラグの位置関係を示す背面図である。
【図４】サービスプラグを示す斜視図である。
【図５】サービスプラグを示す断面図である。
【図６】バッテリのサービスプラグに取り付けられた、実施形態に係る操作治具を示す斜視図である。
【図７】サービスプラグに取り付けられた、実施形態に係る操作治具を示す斜視図である。
【図８】サービスプラグに取り付けられる、実施形態に係る操作治具の保持部材及び操作軸を示す分解図である。
【図９】実施形態に係る操作治具におけるロック解除部を示す斜視図である。
【図１０】実施形態に係る操作治具におけるロック解除部の一部を示す斜視図である。
【図１１】実施形態に係る操作治具における操作部材と保持部材及び操作軸とを取り外した状態を示す斜視図である。
【図１２】実施形態に係る操作治具において、バッテリの電源回路を導通状態から遮断状態にする操作過程を示す斜視図である。
【図１３】実施形態に係る操作治具において、バッテリの電源回路を遮断状態から導通状態にする操作過程を示す斜視図である。
【発明を実施するための形態】
【００１５】
以下、図面を参照して、本開示の実施形態について説明する。なお、以下の説明において、同一又は相当要素には同一符号を付し、重複する説明を省略する。図面の寸法比率は、説明のものと必ずしも一致していない。「上」「下」「左」「右」の語は、図示する状態に基づくものであり、便宜的なものである。
【００１６】
図１は、バッテリを収容する大ラックを示す斜視図である。図２は、バッテリ及びサービスプラグの位置関係を示す斜視図である。図３は、バッテリ及びサービスプラグの位置関係を示す背面図である。図１、図２及び図３に示すバッテリ１００は、例えば、ハイブリッド車や電気自動車などに搭載される二次電池である。バッテリ１００は、サービスプラグ１０を有する。大ラック１１０は、バッテリ１００及び小ラック１２０を内部に収容する。小ラック１２０は、２つのバッテリ１００を１つのユニットに組み合わせる器具である。大ラック１１０及び小ラック１２０は、バッテリ１００を高密度に積載することで、多量の電気を蓄電し、利用することを可能とする。バッテリ１００が高密度に積載された場合、バッテリ１００間に位置するサービスプラグ１０の上方の空間である作業空間は、狭くなる。作業空間は狭いため、サービスプラグ１０の操作を直接手動で行い得る十分なスペースを確保できないおそれがある。
【００１７】
図４は、サービスプラグを示す斜視図である。図５は、サービスプラグを示す断面図である。図４及び図５に示すサービスプラグ１０は、バッテリ１００の上面に設けられる。サービスプラグ１０は、バッテリ１００の電源回路に接続し、電源回路を導通状態又は遮断状態にするプラグである。サービスプラグ１０は、例えば、バッテリ１００から電気機器へ電力を供給するための電源回路に組み込まれている。サービスプラグ１０は、プラグ本体１１、回動軸１２、レバー１３及びロック１４を有する。プラグ本体１１は、バッテリ１００上に設けられる。プラグ本体１１は、内部導線を介して電源回路と接続している。回動軸１２は、プラグ本体１１の側面に設けられ、回動可能に接続する軸である。回動軸１２が回動することで、プラグ本体１１の内部導線を通じて、バッテリ１００の電源回路は、導通状態から遮断状態へ、又は遮断状態から導通状態へと切り替わり得る。
【００１８】
レバー１３は、回動軸１２と接続し、プラグ本体１１の外側に設けられる。レバー１３は、左右一対のアームプレート１５と、軸受部１６と、回動端部１７とを有する。左右一対のアームプレート１５は、例えば、合成樹脂製の板状の部材である。軸受部１６は、左右一対のアームプレート１５に設けられる。軸受部１６は、回動軸１２を支持する。回動端部１７は、レバー１３の中心から見て軸受部１６の位置とは反対側の端部である。回動端部１７は、左右一対のアームプレート１５を連結する。レバー１３の回動端部１７は、例えば、合成樹脂製の棒状の部材である。
【００１９】
レバー１３が回動することにより、回動軸１２が回動し、バッテリ１００の電源回路が導通状態から遮断状態へ、又は遮断状態から導通状態へと切り替わり得る。レバー１３の回動端部１７が第１回動位置に位置する場合、バッテリ１００の電源回路は導通状態である。第１回動位置は、例えば、図４及び図５に示す通り、レバー１３がプラグ本体１１の上面と平行となったときのレバー１３の回動端部１７の位置である。レバー１３の回動端部１７が第２回動位置に位置する場合、バッテリ１００の電源回路は遮断状態となる。第２回動位置は、例えば、レバー１３の回動端部１７がプラグ本体１１から上方に最も離れた位置である。また、第１回動位置に位置したレバー１３の回動端部１７からプラグ本体１１への方向を、近接方向Ｓ１とする。プラグ本体１１から第１回動位置に位置したレバー１３の回動端部１７への方向を、離間方向Ｓ２とする。
【００２０】
ロック１４は、プラグ本体１１に設けられている。ロック１４は、レバー１３の回動端部１７に係合することによりレバー１３の回動を規制し、近接方向Ｓ１に変位してレバー１３の回動端部１７との係合を解除可能である。ロック１４は、例えば、レバー１３の回動端部１７が第１回動位置に位置する場合において、プラグ本体１１とレバー１３の回動端部１７との間に設けられる。ロック１４は、例えば、レバー１３の回動端部１７側に突出した爪を有する。
【００２１】
レバー１３の回動端部１７は、ロック１４が係合するために、その中央が切り欠かれており、係止面１７ａが形成されている。レバー１３の回動端部１７の係止面１７ａは、例えば、レバー１３の回動端部１７が第１回動位置に位置する場合、プラグ本体１１に平行となる面である。レバー１３の回動端部１７が第１回動位置に位置する場合において、ロック１４の爪がレバー１３の回動端部１７の係止面１７ａに係り合うことで、ロック１４とレバー１３の回動端部１７とは係合する。ロック１４は、離間方向Ｓ２に復元力を持つ。ロック１４は、近接方向Ｓ１に力が作用することにより近接方向Ｓ１に変位し、レバー１３の回動端部１７の係止面１７ａにおける係合が解除される。
【００２２】
図６は、バッテリのサービスプラグに取り付けられた、実施形態に係る操作治具を示す斜視図である。図６に示す操作治具１は、バッテリ１００の電源回路に接続するサービスプラグ１０のレバー１３を操作する治具である。操作治具１は、サービスプラグ１０と接続する。操作治具１における後述の操作部材４０は、例えば、離間方向Ｓ２へ延在している。バッテリ１００は、ガイド１０１を有してもよい。ガイド１０１は、例えば、階段状の金属製のカバーである。ガイド１０１は、操作治具１においてレバー１３の回動操作を行う場合、操作部材４０を近接方向Ｓ１又は離間方向Ｓ２へ円滑に案内することができる。ガイド１０１は、操作治具１によるレバー１３の回動操作の安定性を向上させることができる。
【００２３】
図７は、サービスプラグに取り付けられた、実施形態に係る操作治具を示す斜視図である。図７に示す操作治具１は、保持部材２０と、操作軸３０と、操作部材４０と、を備える。図８は、サービスプラグに取り付けられる、実施形態に係る操作治具の保持部材及び操作軸を示す分解図である。図７及び図８に示す保持部材２０は、レバー１３に固定される。保持部材２０は、回動軸１２を中心にレバー１３と共に回動する。保持部材２０は、一対の板部材２１、固定材２２、及び連結具２３を有する。板部材２１は、例えば、金属板部材である。板部材２１は、回動軸１２と直交し、レバー１３の回動操作を阻害しない位置に設けられる。一対の板部材２１は、レバー１３を挟んで対向するように設けられる。
【００２４】
板部材２１は、回動軸１２と離間した位置に、小穴２４を有する。小穴２４は、保持部材２０が第１回動位置のレバー１３に固定された場合、回動軸１２の上方に設けられ得る。この場合、例えば、小穴２４は、プラグ本体１１の上方、かつ、水平方向においてレバー１３の回動端部１７の方向に、回動軸１２に対して斜め４５度となる位置に設けられる。一対の板部材２１における一対の小穴２４は、回動軸１２と平行な直線上にレバー１３を挟んで対向する位置に設けられる。小穴２４において、操作軸３０が回動可能に板部材２１と接続する。
【００２５】
固定材２２は、一対の板部材２１をレバー１３に固定する。固定材２２は、例えば、ねじ、釘、又はボルトである。固定材２２は、レバー１３における既存の小穴又は凹部などの構造に取り付けることができる。このため、レバー１３を加工することなく、固定材２２をレバー１３に取り付けることができる。連結具２３は、一対の板部材２１を連結する。一対の板部材２１がレバー１３に安定して固定されている場合、保持部材２０は、連結具２３を備えなくてもよい。
【００２６】
操作軸３０は、回動軸１２と平行かつ離間するように保持部材２０に設けられる。操作軸３０は、板部材２１に小穴２４を介して接続する。保持部材２０が第１回動位置のレバー１３に固定された場合、操作軸３０は、回動軸１２の上方に位置する小穴２４に接続し得る。この場合、例えば、操作軸３０は、プラグ本体１１の上面の上方、かつ、水平方向においてレバー１３の回動端部１７の方向に、回動軸１２に対して斜め４５度となる位置に設けられる小穴２４に接続する。操作軸３０は、小穴２４に回動可能に接続し得る。操作軸３０は、例えば、金属棒である。操作軸３０は、小穴２４から滑落するのを防止するため、一対の板部材２１の内側又は外側に一対の小穴２４と比較して大きい突起を有していてもよい。
【００２７】
操作部材４０は長尺状を呈し、その先端が操作軸３０に回動可能に係合され、その末端が作業員に操作される。操作部材４０は、例えば、把手部４１及び係合部４２を有する。把手部４１は長尺状を呈する。把手部４１は、例えば、断面矩形状の棒状部材である。操作部材４０がサービスプラグ１０の上方の狭い作業空間においても操作可能なように、把手部４１における高さは作業空間よりも低く設定される。把手部４１の両端のうち、作業員が操作する一端が末端４１ａであり、他端は先端４１ｂである。把手部４１の末端４１ａは操作部材４０の末端である。把手部４１の末端４１ａにおいて力を加える操作を可能とするため、把手部４１は、その末端４１ａがバッテリ１００の外縁付近に位置するように延在している。把手部４１の先端４１ｂには、係合部４２が設けられる。つまり、操作部材４０の先端には係合部４２が設けられる。把手部４１の末端４１ａに力が付加された場合、把手部４１の先端４１ｂに設けられている係合部４２に力が作用する。
【００２８】
係合部４２は、操作軸３０と回動可能に係合する。例えば、係合部４２は、一対の側面４３、及び天面４４を有する。側面４３は、保持部材２０の板部材２１と平行に配置可能な板部材である。一対の側面４３の間の距離は、例えば、一対の板部材２１の間の距離と比較して距離を大きくとって対向するように設けられる。天面４４は、一対の側面４３の上辺に設けられる。係合部４２は、一対の側面４３及び天面４４によって、レバー１３側の内部に空間４５を画成し得る。空間４５は、レバー１３の回動端部１７の第１回動位置と第２回動位置との間の回動においてレバー１３及び保持部材２０の少なくとも一部を収容する。
【００２９】
係合部４２において、一対の側面４３は、操作軸３０と係合可能な一対の第１スリット４６を有し得る。第１スリット４６は、操作部材４０の長手方向と交差する方向に延在する。例えば、第１スリット４６は、操作部材４０の長手方向に直交する上下方向に延在するスリットである。例えば、一対の第１スリット４６それぞれは、互いに対向するように一対の側面４３に設けられる。第１スリット４６は、例えば、下端がサービスプラグ１０側に開放されている。第１スリット４６のスリットの幅は、操作軸３０が係合可能な幅に設定される。係合部４２は、第１スリット４６の下端が操作軸３０と対向するように位置決めされ、下方向へと移動させられる。これにより、係合部４２は操作軸３０と係合する。第１スリット４６の上端は、操作軸３０の接続位置となる。操作軸３０は、第１スリット４６の上端において係合部４２と回動可能に接続する。
【００３０】
図９は、実施形態に係るロック解除部を示す斜視図である。図１０は、実施形態に係る操作治具におけるロック解除部の一部を示す斜視図である。保持部材２０及び操作部材４０は、図９及び図１０に示すロック解除部５０を有し得る。ロック解除部５０は、ロック１４によるレバー１３の回動の規制を解除する。例えば、操作部材４０は、把手部４１の末端４１ａに加わる力をロック解除部５０に作用させ、レバー１３の回動端部１７の係止面１７ａに係るロック１４を近接方向Ｓ１に移動させることによって、レバー１３の回動の規制を解除する。
【００３１】
係合部４２には、操作部材４０の長手方向に延在し、操作軸３０に回動可能に係合させた係合部４２を近接方向Ｓ１に案内する一対の第２スリット４７が形成される。第２スリット４７は、第１スリット４６と交差する。第２スリット４７の中心は、例えば、第１スリット４６の上端である操作軸３０の接続位置となる。一対の第２スリット４７それぞれは、互いに対向するように一対の側面４３に設けられる。第２スリット４７の長手方向の長さは、ロック解除部５０の機構により適宜設定される。第２スリット４７のスリットの幅は、操作軸３０が移動可能な幅に設定される。第２スリット４７の両端のうち、把手部４１の末端４１ａ側の一端が末端４７ａであり、他端は先端４７ｂである。
【００３２】
保持部材２０の板部材２１には、把手部４１の末端４１ａ側において、一対の第３スリット２５が形成される。回動端部１７が第１回動位置に位置する場合、一対の第３スリット２５は、例えば、板部材２１において、レバー１３の回動端部１７より把手部４１の末端４１ａ側の部分に設けられ、レバー１３の長手方向に延在する。一対の第３スリット２５それぞれは、互いに対向するように一対の板部材２１に設けられる。一対の第３スリット２５の長手方向の長さは、ロック１４による規制の解除及びレバー１３の回動端部１７の第１回動位置と第２回動位置との間の移動に必要な長さに適宜設定される。
【００３３】
ロック解除部５０は、第１押圧部材５１及び第２押圧部材５２を有する。第１押圧部材５１は、ロック１４と対向配置するように保持部材２０に設けられ、近接方向Ｓ１に移動してロック１４に突き当てられる。レバー１３の回動端部１７が第１回動位置に位置する場合、第１押圧部材５１は、レバー１３の回動端部１７より把手部４１の末端４１ａ側において、一対の板部材２１の間に配置される。第１押圧部材５１は、例えば、金属板で構成される。
【００３４】
第１押圧部材５１は、例えば、一対の板部材２１に形成された一対の第３スリット２５に係合される。第１押圧部材５１は、その本体部に設けられ、一対の第３スリット２５に対応する一対の突出部５１ａを含む。突出部５１ａは、第３スリット２５から板部材２１の外側に突出する。第１押圧部材５１は、突出部５１ａが第３スリット２５内を通ることによって、第３スリット２５の長手方向に移動可能である。
【００３５】
第１押圧部材５１は、その本体部に設けられ、操作部材４０の長手方向に延びる腕部５１ｂを含む。第１押圧部材５１の腕部５１ｂは、切り欠かれたレバー１３の回動端部１７の係止面１７ａに沿って延在する。第１押圧部材５１は、近接方向Ｓ１へ移動すると、第１押圧部材５１の腕部５１ｂがロック１４に突き当てられる。第１押圧部材５１の腕部５１ｂの押圧により、ロック１４は近接方向Ｓ１へ変位し、ロック１４によるレバー１３の回動の規制が解除される。第１押圧部材５１の腕部５１ｂは、ロック１４の形状に合わせて押圧しやすい形状としてもよい。
【００３６】
第２押圧部材５２は、第１押圧部材５１を近接方向Ｓ１へ移動させる部材である。第２押圧部材５２は、係合部４２に設けられ、第１押圧部材５１と係合することにより、操作部材４０の末端４１ａに加わる力を、近接方向Ｓ１に向けて第１押圧部材５１に作用させる。第２押圧部材５２は、第１押圧部材５１の突出部５１ａに係合する。このため、係合部４２には、第１押圧部材５１の一対の突出部５１ａに対応して一対の第２押圧部材５２が設けられている。レバー１３の回動端部１７が第１回動位置に位置する場合、第２押圧部材５２は、第１押圧部材５１の突出部５１ａを介して、操作部材４０に加わる力を第１押圧部材５１に作用させ、第１押圧部材５１を近接方向Ｓ１へ移動させる。
【００３７】
一対の第２押圧部材５２は、互いに対向するように係合部４２の一対の側面４３に設けられる。第２押圧部材５２は、例えば、係合部４２の側面４３の下端に設けられる。第２押圧部材５２は、係合部４２の側面４３の下端から把手部４１の末端４１ａ側に向けて延びる鉤状の部材である。第１押圧部材５１の突出部５１ａの下方を迂回し、第１押圧部材５１の突出部５１ａにおける把手部４１の末端４１ａ側の端部に係り合う。
【００３８】
第２押圧部材５２は、第１押圧部材５１の突出部５１ａを近接方向Ｓ１に向けて押圧する返し部５６を有する。第２押圧部材５２の返し部５６は、第１腕部５４及び第２腕部５５を介して係合部４２の下端に設けられる。第１腕部５４は、板状を呈し、係合部４２の側面４３の下端から係合部４２の下方へ向けて延びている。第２腕部５５は、板状を呈し、第１腕部５４の下端から把手部４１の末端４１ａ側に向けて延びている。返し部５６は、板状を呈し、第２腕部５５の先端において上方に向けて立設される。このように、第２押圧部材５２は、第１押圧部材５１の突出部５１ａを引っかけるための返し部５６をその先端に有する鉤部材として構成される。第２押圧部材５２は、例えば、金属板から構成される。
【００３９】
第２押圧部材５２は、操作部材４０の係合部４２の第１スリット４６と操作軸３０との着脱時に、第１押圧部材５１の突出部５１ａと干渉しない構造を有していてもよい。第１押圧部材５１の突出部５１ａは、係合部４２の側面４３から突出している。第１腕部５４及び第２腕部５５、又は、少なくとも第２腕部５５は、第１押圧部材５１の突出部５１ａの突出した長さよりも係合部４２の側面４３から離間して設けられる。そして、第２腕部５５は、第１腕部５４の下端から把手部４１の末端４１ａ側に向けて延びているとともに、その先端が係合部４２の側面４３へ向けて屈曲されている。返し部５６は、屈曲された第２腕部５５の先端において上方に向けて立設される。これにより、第２押圧部材５２は、上下方向から見て第１押圧部材５１の突出部５１ａと重ならない構成となる。
【００４０】
レバー１３の回動端部１７が第１回動位置に位置し、かつ、係合部４２の一対の第１スリット４６の上端に操作軸３０が位置するように操作部材４０が操作されたとき、第１押圧部材５１の突出部５１ａは、第２押圧部材５２の第１腕部５４、第２腕部５５及び返し部５６によって、その下方から引っかけられる。把手部４１の末端４１ａに近接方向Ｓ１への力が加わると、係合部４２は近接方向Ｓ１へ移動する。第２押圧部材５２は、係合部４２と一体的に近接方向Ｓ１へ移動し、第１押圧部材５１の突出部５１ａを近接方向Ｓ１へ押圧する。このように、操作部材４０の末端の力は、第１押圧部材５１の突出部５１ａに作用し、第１押圧部材５１の腕部５１ｂを近接方向Ｓ１へ移動させ、ロック１４を解除する。
【００４１】
ロック解除部５０は、弾性体部材５７を有していてもよい。弾性体部材５７は、第１押圧部材５１がロック１４を解除した位置からさらに近接方向Ｓ１へ移動するのを抑制し、レバー１３が第２回動位置から第１回動位置に移動する場合に、ロック１４と第１押圧部材５１との干渉を抑制し、レバー１３を円滑に回動させ易くするための部材である。弾性体部材５７は、レバー１３の回動端部１７と第１押圧部材５１との間に介在する。弾性体部材５７は、例えば、第１押圧部材５１の本体に立設され、レバー１３の回動端部１７と対向する支持壁５１ｃに設けられる。弾性体部材５７は、レバー１３の回動端部１７に向かって延在する。弾性体部材５７は、例えば、ばねである。
【００４２】
ロック解除部５０は、例えば、台座５３を有していてもよい。台座５３は、保持部材２０に固定され、レバー１３の回動端部１７と第１押圧部材５１との間に介在し、第１押圧部材５１に弾性体部材５７を介して近接するように設けられる。第１押圧部材５１は、台座５３に対して弾性体部材５７の伸縮分だけ近接方向Ｓ１へ移動可能である。
【００４３】
台座５３は、例えば、保持部材２０の板部材２１に固定される。台座５３は、第１押圧部材５１の支持壁５１ｃと腕部５１ｂの先端との間において、レバー１３の回動端部１７と対向するように位置する。台座５３は、弾性体部材５７のプラグ本体１１側の端部に近接又は接触するように設けられる。台座５３は、レバー１３の回動端部１７の係止面１７ａに対応する切り欠き部を有している。第１押圧部材５１の腕部５１ｂは、台座５３の切り欠き部を介してロック１４と接触する。
【００４４】
把手部４１の末端４１ａに近接方向Ｓ１への力が加わると、係合部４２は、操作軸３０と一対の第２スリット４７との係合によって近接方向Ｓ１へ案内される。係合部４２の近接方向Ｓ１への移動に伴い、第１押圧部材５１は、近接方向Ｓ１へ移動する。この場合、台座５３は保持部材２０の板部材２１に固定されているため、第１押圧部材５１の本体に立設された弾性体部材５７は、台座５３に突き当てられる。弾性体部材５７は、第１押圧部材５１と台座５３とに挟まれることで収縮する。弾性体部材５７が台座５３に突き当てられた後においても、弾性体部材５７の作用により、第１押圧部材５１の腕部５１ｂは、近接方向Ｓ１へ移動可能である。第１押圧部材５１に力が作用している場合、弾性体部材５７は、少なくとも第１押圧部材５１の腕部５１ｂがロック１４とレバー１３の回動端部１７との係合を解除するまで収縮する。
【００４５】
操作軸３０が第２スリット４７の末端４７ａに達した場合、又は、弾性体部材５７及び台座５３により第１押圧部材５１の近接方向Ｓ１への移動が抑制された場合、係合部４２の近接方向Ｓ１へ移動が規制される。このため、操作軸３０が一対の第２スリット４７の末端４７ａに位置する前、又は、弾性体部材５７及び台座５３により第１押圧部材５１の近接方向Ｓ１への移動が抑制される前に、第１押圧部材５１の腕部５１ｂは、ロック１４を解除位置まで変位させる。第１押圧部材５１の腕部５１ｂがロック１４を解除位置まで変位させた場合、第１押圧部材５１は、台座５３に突き当てられた弾性体部材５７の反力の作用により、ロック１４を解除した位置からさらに近接方向Ｓ１に移動することが抑制される。この場合、弾性体部材５７は、例えば、第１押圧部材５１と台座５３との間において最も収縮した状態となっている。第１押圧部材５１と第２押圧部材５２との係合が解除された場合、台座５３に突き当てられた弾性体部材５７の反力の作用により、第１押圧部材５１は、ロック１４を解除した位置から離間方向Ｓ２に移動する。
【００４６】
サービスプラグ１０に対する操作治具１の設置過程及び分離過程について説明する。図１１は、実施形態に係る操作治具における操作部材と保持部材及び操作軸とを取り外した状態を示す斜視図である。操作軸３０は、板部材２１に設けられた小穴２４において接続する。操作軸３０を接続させた保持部材２０が、固定材２２を用いてレバー１３に固定される。操作部材４０は、係合部４２の第１スリット４６内に操作軸３０を挿入させることで、第１押圧部材５１の突出部５１ａと第２押圧部材５２の第２腕部５５とを干渉させることなく、第１スリット４６の上端において、操作部材４０と、レバー１３、保持部材２０及び操作軸３０とを係合させることができる。また、操作部材４０は、係合部４２の第１スリット４６を通じて操作軸３０を取り外すことで、第１押圧部材５１の突出部５１ａと第２押圧部材５２の第２腕部５５とを干渉させることなく、操作部材４０と、レバー１３、保持部材２０及び操作軸３０とを分離することができる。これにより、操作部材４０は、第１スリット４６を通じて、レバー１３、保持部材２０及び操作軸３０に対し、着脱自在に係合することができる。
【００４７】
操作治具１によってバッテリ１００の電源回路を導通状態から遮断状態にする過程について説明する。図１２は、実施形態に係る操作治具において、バッテリの電源回路を導通状態から遮断状態にする操作過程を示す斜視図である。図１２の（Ａ）は、レバー１３の回動端部１７が第１回動位置に位置する状態を示す斜視図である。図１２の（Ａ）に示されるように、バッテリ１００の電源回路が導通状態である場合、レバー１３の回動端部１７は第１回動位置に位置する。ロック１４によってレバー１３の回動端部１７がプラグ本体１１に係止されているので、レバー１３は、回動しない状態である。把手部４１の末端４１ａにおいて、近接方向Ｓ１に力が加えられる。力は、例えば、作業員によって加えられる。力は、把手部４１の先端４１ｂに設けられる係合部４２に作用する。操作部材４０が力の作用により移動することで、係合部４２は、第２スリット４７により近接方向Ｓ１へ案内される。すなわち、操作軸３０は、第２スリット４７内を相対的に離間方向Ｓ２へ移動する。
【００４８】
係合部４２においてさらに近接方向Ｓ１への力が作用することで、係合部４２に設けられる第２押圧部材５２に近接方向Ｓ１への力が作用する。第２押圧部材５２の返し部５６は、第１押圧部材５１の突出部５１ａを引っかける。これにより、第２押圧部材５２における力が第１押圧部材５１の突出部５１ａに作用し、第１押圧部材５１の突出部５１ａは、第３スリット２５内を近接方向Ｓ１へ移動する。第１押圧部材５１の突出部５１ａが移動することで、第１押圧部材５１に近接方向Ｓ１への力が作用する。
【００４９】
力の作用により第１押圧部材５１は、近接方向Ｓ１へ移動する。この場合、台座５３は保持部材２０の板部材２１に固定されているため、第１押圧部材５１の本体に立設された弾性体部材５７は、台座５３に突き当てられる。弾性体部材５７は、第１押圧部材５１と台座５３とに挟まれることで収縮する。弾性体部材５７が台座５３に突き当てられた後においても、弾性体部材５７の作用により、第１押圧部材５１の腕部５１ｂは、近接方向Ｓ１へ移動することができる。
【００５０】
第１押圧部材５１の腕部５１ｂは、近接方向Ｓ１に移動してロック１４に突き当てられる。このとき、操作軸３０は、第２スリット４７の末端４７ａから離間した位置にある。第１押圧部材５１の腕部５１ｂがロック１４に突き当てられ、操作部材４０の力が第１押圧部材５１にさらに作用することで、ロック１４は、近接方向Ｓ１に変位する。操作軸３０が第２スリット４７の末端４７ａに達するまでの間、又は、弾性体部材５７及び台座５３により第１押圧部材５１の近接方向Ｓ１への移動が抑制される前に、ロック１４とレバー１３の回動端部１７との係合が解除される。
【００５１】
第１押圧部材５１の腕部５１ｂがロック１４を解除位置まで変位させた場合、第１押圧部材５１は、台座５３に突き当てられた弾性体部材５７の反力の作用により、ロック１４を解除した位置からさらに近接方向Ｓ１に移動することが抑制される。また、操作軸３０が第２スリット４７の末端４７ａに達した場合、又は、弾性体部材５７及び台座５３により第１押圧部材５１におけるロック１４を解除した位置からの近接方向Ｓ１への移動が抑制された場合、ロック１４を解除位置に変位させた状態で、係合部４２において近接方向Ｓ１かつ上方への力が作用することで、保持部材２０に保持されたレバー１３が回動し、レバー１３の回動端部１７がロック１４の上方に移動する。
【００５２】
図１２の（Ｂ）は、レバー１３の回動端部１７が第１回動位置と第２回動位置との間に位置する状態を示す斜視図である。図１２の（Ｂ）に示されるように、レバー１３の回動の規制解除後に、レバー１３は、第１回動位置から第２回動位置までの回動を開始する。レバー１３が回動すると、第１押圧部材５１の突出部５１ａと第２押圧部材５２の返し部５６との係合がなくなるため、台座５３に突き当てられた弾性体部材５７の反力の作用により、第１押圧部材５１は、ロック１４を解除した位置から離間方向Ｓ２に離間する。レバー１３の回動端部１７がロック１４の上方に移動したときにおいて、操作軸３０が第２スリット４７の末端４７ａに達していない場合、操作部材４０においてさらに近接方向Ｓ１への力が加わり、係合部４２が近接方向Ｓ１へ移動することで、操作軸３０は、第２スリット４７の末端４７ａに到達する。操作軸３０は、第２スリット４７の末端４７ａに到達しているので、力が操作軸３０、保持部材２０の順に作用する。
【００５３】
保持部材２０及び保持部材２０に固定されているレバー１３は、近接方向Ｓ１への力の作用により、回動軸１２を中心に回動する。レバー１３が回動することで、レバー１３の回動端部１７が第１回動位置から第２回動位置に移動する。この場合、回動軸１２は支点であり、操作軸３０は力点である。回動軸１２は、レバー１３と接続しているので、レバー１３の回動により、回動軸１２も回動する。係合部４２内に画成する空間４５は、レバー１３の回動端部１７の第１回動位置から第２回動位置への回動において回動端部１７を含むレバー１３及び保持部材２０の少なくとも一部を収容する。
【００５４】
レバー１３の回動端部１７が第１回動位置から第２回動位置へ移動する場合、第１押圧部材５１の突出部５１ａは、係合部４２の側面４３における把手部４１の末端４１ａ側の外縁に接近又は接触しながら移動してもよい。係合部４２の側面４３における把手部４１の末端４１ａ側の外縁の一部は、例えば、弧状である。このため、第１押圧部材５１の突出部５１ａは、レバー１３の回動に合わせて円滑に移動できる。また、第３スリット２５の長手方向の長さ及び位置、弾性体部材５７の長さ、並びに台座５３の位置は、例えば、レバー１３の回動端部１７が第１回動位置と第２回動位置との間を移動する場合において、第１押圧部材５１の突出部５１ａがプラグ本体１１側に移動した際に、係合部４２の側面４３に接触しないようにしてもよい。
【００５５】
図１２の（Ｃ）は、レバー１３の回動端部１７が第２回動位置にある状態を示す斜視図である。図１２の（Ｃ）に示されるように、レバー１３の回動端部１７が第２回動位置に到達することによって、回動軸１２及びプラグ本体１１の内部導線を介して、バッテリ１００の電源回路が導通状態から遮断状態になる。
【００５６】
操作治具１によってバッテリ１００の電源回路を遮断状態から導通状態にする過程について説明する。図１３は、実施形態に係る操作治具において、バッテリの電源回路を遮断状態から導通状態にする操作過程を示す斜視図である。図１３の（Ａ）は、レバー１３の回動端部１７が第２回動位置に位置する状態を示す斜視図である。図１３の（Ａ）に示されるように、バッテリ１００の電源回路が遮断状態である場合、レバー１３の回動端部１７は第２回動位置に位置する。
【００５７】
把手部４１の末端４１ａにおいて、把手部４１の延在方向のうち、離間方向Ｓ２へ力が加えられる。力は、把手部４１の先端４１ｂに設けられる係合部４２に作用する。係合部４２は、第２スリット４７により離間方向Ｓ２へ案内される。すなわち、操作軸３０が第２スリット４７内を相対的に近接方向Ｓ１へ移動する。力の作用により操作部材４０がさらに移動することで、操作軸３０は、第２スリット４７の先端４７ｂに到達する。
【００５８】
図１３の（Ｂ）は、レバー１３の回動端部１７が第２回動位置と第１回動位置との間に位置する状態を示す斜視図である。図１３の（Ｂ）に示されるように、レバー１３は、第２回動位置から第１回動位置までの回動を開始する。この場合、回動軸１２は支点であり、操作軸３０は力点である。操作軸３０は、第２スリット４７の先端４７ｂに達しているので、力が操作軸３０、保持部材２０の順に作用する。保持部材２０及び保持部材２０に固定されているレバー１３は、力の作用により、回動軸１２を中心に回動を開始する。回動軸１２は、レバー１３と接続しているので、レバー１３の回動により、回動軸１２も共に回動する。係合部４２内に画成する空間４５は、レバー１３の回動端部１７の第２回動位置から第１回動位置への回動において回動端部１７を含むレバー１３及び保持部材２０の少なくとも一部を収容する。
【００５９】
レバー１３の回動端部１７が第２回動位置から第１回動位置へ移動する場合、第１押圧部材５１の突出部５１ａは、係合部４２の側面４３における把手部４１の末端４１ａ側の外縁に接近又は接触しながら移動してもよい。係合部４２の側面４３における把手部４１の末端４１ａ側の外縁の一部は、例えば、弧状であるため、第１押圧部材５１の突出部５１ａは、レバー１３の回動に合わせて円滑に移動できる。係合部４２の側面４３における把手部４１の末端４１ａ側の外縁によって、突出部５１ａを含む第１押圧部材５１におけるプラグ本体１１側又はロック１４側への移動を抑えることができる。
【００６０】
第１押圧部材５１がプラグ本体１１側又はロック１４側へ移動した場合、第１押圧部材５１の本体に立設された弾性体部材５７が台座５３に突き当たる。第１押圧部材５１は、弾性体部材５７の反力の作用によりプラグ本体１１側又はロック１４側への移動が抑えられる。これにより、ロック１４と第１押圧部材５１との干渉が抑制されるため、レバー１３は第２回動位置から第１回動位置へと円滑に回動することができる。
【００６１】
レバー１３の回動端部１７は、第１回動位置に到達する前において、回動端部１７の一部がロック１４の表面に接触しながら滑らかに下方に移動する。この場合、ロック１４に対向配置する第１押圧部材５１の腕部５１ｂは、ロック１４の形状に合わせた形状であるため、第１押圧部材５１の腕部５１ｂがロック１４に達している場合であってもロック１４の表面に接触しながら滑らかに下方に移動する。
【００６２】
レバー１３の回動端部１７の係止面１７ａがロック１４の爪の下方に移動した場合、ロック１４の復元力により、ロック１４は、離間方向Ｓ２に移動する。ロック１４の爪がレバー１３の回動端部１７の係止面１７ａに係り合うことで、ロック１４とレバー１３の回動端部１７とは係合する。
【００６３】
図１３の（Ｃ）はレバー１３の回動端部１７が第１回動位置に位置する状態を示す斜視図である。図１３の（Ｃ）に示されるように、ロック１４によってレバー１３の回動の規制がなされ、レバー１３の回動端部１７は、第１回動位置に到達する。このようにレバー１３の回動端部１７が第１回動位置に到達することによって、回動軸１２及びプラグ本体１１の内部導線を介して、バッテリ１００の電源回路を遮断状態から導通状態になる。
【００６４】
このように、本実施形態に係る操作治具１によれば、サービスプラグのレバーの回動を操作できる。また、操作治具１が、サービスプラグ１０の位置からバッテリ１００の外縁付近まで延在していることによって、サービスプラグ１０から離間した位置からでもサービスプラグ１０を操作することができる。これにより、バッテリ１００間のサービスプラグ１０の上方の作業空間が狭い場合でも、サービスプラグ１０を操作することができる。操作部材４０の把手部４１の末端４１ａに対する力の付加のみで、バッテリ１００の電源回路を導通状態から遮断状態へ、又は遮断状態から導通状態へと制御できる。操作治具１は、サービスプラグ１０に穿孔又は切削などの追加加工を行うことなく、保持部材２０の取り付けのみで容易に装着ができる。
【００６５】
操作治具１において、操作部材４０は、第１スリット４６を通じて、レバー１３、保持部材２０及び操作軸３０に対し、着脱自在に係合することができる。第１スリット４６により、操作部材４０を他のサービスプラグ１０、保持部材２０及び操作軸３０の組み合わせを持つユニットに対しても利用することができる。
【００６６】
また、第２スリット４７及びロック解除部５０により、ロック１４におけるレバー１３の回動の規制の解除、及びレバー１３の回動を、把手部４１の末端４１ａに対する力の付加という容易な一動作で行うことができる。弾性体部材５７による第１押圧部材５１の位置変位に応じた反力の作用により、第１押圧部材５１は、ロック１４を解除した位置からさらに近接方向Ｓ１に移動することが抑制される。第１押圧部材５１は、第２押圧部材５２との係合が解除された場合、台座５３に突き当てられた弾性体部材５７の反力の作用により、ロック１４を解除した位置から離間方向Ｓ２に移動する。これにより、レバー１３が第２回動位置から第１回動位置へ回動する場合に、ロック１４と第１押圧部材５１との干渉が抑制されるため、レバー１３の回動を円滑に操作できる。
【００６７】
また、操作部材４０の内部に画成される空間４５は、操作部材４０の移動を阻害しないように回動端部１７を含むレバー１３及び保持部材２０の少なくとも一部を収容することができる。空間４５により、操作部材４０とレバー１３及び保持部材２０とが干渉せずに円滑にレバー１３を回動させることができ、バッテリ１００の電源回路を導通状態から遮断状態へ、又は遮断状態から導通状態へと円滑に制御できる。
【００６８】
以上、本開示の実施形態について説明したが、本開示は、上記実施形態に限定されるものではない。例えば、操作治具１は、ゴムや合成樹脂など絶縁体を用いて構成されていてもよい。この場合、サービスプラグ１０の電源回路において導通状態又は遮断状態とする際の安全性を向上することができる。操作治具１は、サービスプラグ１０に対して、操作部材４０を近接方向Ｓ１へ延在するように設けてもよい。この場合、ロック解除部５０は、操作部材４０の中間ではなく、力を付加する把手部４１の末端４１ａとは反対側の係合部４２の先端に位置してもよい。サービスプラグ１０は、ロック１４を有しなくともよい。この場合、操作治具１は、ロック解除部５０を備えなくともよい。
【００６９】
一対の構成又は部材である板部材２１、小穴２４、第３スリット２５、側面４３、第１スリット４６、第２スリット４７、第１押圧部材５１の突出部５１ａ、又は第２押圧部材５２において、対の構成又は部材は、互いに本実施形態の説明を満たす構成を有する。板部材２１、小穴２４、第３スリット２５、側面４３、第１スリット４６、第２スリット４７、第１押圧部材５１の突出部５１ａ、又は第２押圧部材５２は、一対の部材でなくてもよい。回動端部１７を含むレバー１３及び保持部材２０の一部は、側面４３の上端の辺の位置を越えて上方に突出してもよい。この場合、操作部材４０は、天面４４を有しなくてもよい。
【００７０】
操作軸３０は、板部材２１において、保持部材２０の内部又は外部に向かって突出する棒状の突起でもよい。操作部材４０は、保持部材２０及び操作軸３０に固定されていてもよい。この場合、操作部材４０は、第１スリット４６を有しなくてもよい。係合部４２の一対の側面４３の間の距離は、一対の板部材２１の間の距離と比較して距離を小さくとって対向するように設けられてもよい。この場合、レバー１３の回動操作の際には、操作部材４０は、保持部材２０の一対の板部材２１の間を移動する。
【００７１】
操作部材４０が操作軸３０に着脱自在に係合されるのであれば、操作部材４０は、第１スリット４６を有しなくてもよい。この場合、係合部４２には、例えば、側面４３の上辺と天面４４の長手方向の一対の辺とが連結するように蝶番が設けられていてもよい。側面４３は、その上辺を中心として上下方向に回動可能に設けられる。側面４３は、例えば、接続穴を有する。側面４３が上辺を中心に回動することによって、操作軸３０を一対の接続穴に係合させることができる。これにより、操作部材４０は、第１スリット４６を有しなくとも、操作軸３０に着脱自在に係合される。操作部材４０を保持部材２０及び操作軸３０と着脱させる場合には、バッテリ１００は、ガイド１０１を有しなくてもよい。
【００７２】
レバー１３の回動端部１７が第２回動位置から第１回動位置に到達する前において、第２押圧部材５２の第１腕部５４は、第１押圧部材５１の突出部５１ａに係合してもよい。この場合、第１腕部５４は、第１押圧部材５１の突出部５１ａの突出した長さよりも係合部４２の側面４３から離間して設けられていない。第２押圧部材５２の第１腕部５４は、第１押圧部材５１の突出部５１ａに対して、把手部４１の末端４１ａに作用する力を離間方向Ｓ２へ作用させる。第１押圧部材５１の突出部５１ａは、第３スリット２５内を離間方向Ｓ２へ移動するため、第１押圧部材５１の近接方向Ｓ１への移動を抑えることができる。これにより、レバー１３は第２回動位置から第１回動位置へと円滑に回動することができる。この場合、弾性体部材５７及び台座５３はなくてもよい。
【００７３】
台座５３は、保持部材２０の板部材２１に固定されていなくてもよい。この場合、台座５３は、第１押圧部材５１とレバー１３の回動端部１７との間に介在し、第１押圧部材５１に弾性体部材５７を介して設けられる。台座５３は、レバー１３を支持しながら第１押圧部材５１の腕部５１ｂを近接方向Ｓ１へと移動させるとともにロック１４の解除後にレバー１３の回動方向へと力を作用させ易くするための部材となる。弾性体部材５７は、第１押圧部材５１に立設されなくてもよい。この場合、弾性体部材５７は、台座５３の第１押圧部材５１側の面に立設される。台座５３がなく、弾性体部材５７のプラグ本体１１側の端部がレバー１３の回動端部１７に突き当てられてもよい。
【符号の説明】
【００７４】
１…操作治具、１０…サービスプラグ、１１…プラグ本体、１２…回動軸、１３…レバー、１４…ロック、１５…アームプレート、１６…軸受部、１７…回動端部、１７ａ…係止面、２０…保持部材、２１…板部材、２２…固定材、２３…連結具、２４…小穴、２５…第３スリット、３０…操作軸、４０…操作部材、４１…把手部、４１ａ，４７ａ…末端、４１ｂ，４７ｂ…先端、４２…係合部、４３…側面、４４…天面、４５…空間、４６…第１スリット、４７…第２スリット、５０…ロック解除部、５１…第１押圧部材、５１ａ…突出部、５１ｂ…腕部、５１ｃ…支持壁、５２…第２押圧部材、５３…台座、５４…第１腕部、５５…第２腕部、５６…返し部、５７…弾性体部材、１００…バッテリ、１０１…ガイド、１１０…大ラック、１２０…小ラック、Ｓ１…近接方向、Ｓ２…離間方向。
【図１】
2020098722.tif 000003
【図２】
2020098722.tif 000004
【図３】
2020098722.tif 000005
【図４】
2020098722.tif 000006
【図５】
2020098722.tif 000007
【図６】
2020098722.tif 000008
【図７】
2020098722.tif 000009
【図８】
2020098722.tif 000010
【図９】
2020098722.tif 000011
【図１０】
2020098722.tif 000012
【図１１】
2020098722.tif 000013
【図１２】
2020098722.tif 000014
【図１３】
2020098722.tif 000015